【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】  式ＩＩ：
2002020783.tif 000001
で表わされる芳香性ケトンおよび式ＩＩＩ：
2002020783.tif 000002
（炭素原子を２０個以上は含まない）
で表わされる芳香性ラクトンのフレグランス先駆化合物であって、式Ｉ
2002020783.tif 000003
（点線は、環状アセタール中の一又は二の任意の二重結合を表す）
で表わされるフレグランス先駆化合物
（上記各式において、
Ｒ1〜Ｒ5は独立して、Ｈ、−ＮＯ2、直鎖状または分枝鎖状Ｃ1〜Ｃ6−アルキル、Ｃ1〜Ｃ6−アルケニル、Ｃ1〜Ｃ6−アルキニルまたはＣ1〜Ｃ4−アルコキシを表わし、
Ｒ1とＲ2、Ｒ2とＲ3、Ｒ3とＲ4およびＲ4とＲ5とは一体になって、１個または２個の脂肪族または芳香族環を形成していてもよく、これらの環は任意により直鎖状または分枝鎖状Ｃ1〜Ｃ4−アルキル、Ｃ1〜Ｃ4−アルケニルまたはＣ1〜Ｃ4−アルキニル残基を含有していてもよく、また上記環および残基は、１個または２個以上の酸素原子を含有していてもよく、
Ｒ6およびＲ7は独立して、Ｈ、直鎖状または分枝鎖状Ｃ1〜Ｃ6−アルキル、Ｃ1〜Ｃ6−アルケニルまたはＣ1〜Ｃ6−アルキニルであり、またＲ6またはＲ7は、Ｒ1またはＲ5のいずれかとともに、任意により脂肪族残基により置換されていてもよい炭素環状環を形成していてもよく、
ｎは０または１であり、
Ｒ8からＲ15は独立して、Ｈ、分枝鎖状または直鎖状Ｃ1〜Ｃ15−アルキル、Ｃ1〜Ｃ15−アルケニル、Ｃ1〜Ｃ15−アルキニルまたはＣ1〜Ｃ4−アルコキシであって、
それらは一体となって一または二以上の脂肪族または芳香族環を形成していてもよく、これらの環は任意に分枝鎖状または直鎖状のＣ1〜Ｃ10−アルキル、Ｃ1〜Ｃ10−アルケニル、Ｃ1〜Ｃ10−アルキニル残基を含んでいてもよく、かつ、上記環および残基は一または二以上の酸素原子を含んでいてもよい）。
【請求項２】  式Ｉ
2002020783.tif 000004
（点線は、環状アセタール環中の一又は二の二重結合を示す）
で表わされる化合物
（式中、
Ｒ1〜Ｒ5は独立して、Ｈ、−ＮＯ2、直鎖状または分枝鎖状Ｃ1〜Ｃ6−アルキル、Ｃ1〜Ｃ6−アルケニル、Ｃ1〜Ｃ6−アルキニルまたはＣ1〜Ｃ4−アルコキシを表わし、
Ｒ1とＲ2、Ｒ2とＲ3、Ｒ3とＲ4およびＲ4とＲ5とは一体になって、１個または２個の脂肪族または芳香族環を形成していてもよく、これらの環は任意により置換または未置換のＣ1〜Ｃ4−アルキル、Ｃ1〜Ｃ4−アルケニルまたはＣ1〜Ｃ4−アルキニル残基を含有していてもよく、また１個または２個以上の酸素原子を含有していてもよく、
Ｒ6およびＲ7は独立して、Ｈ、直鎖状または分枝鎖状Ｃ1〜Ｃ6−アルキル、Ｃ1〜Ｃ6−アルケニルまたはＣ1〜Ｃ6−アルキニルであり、またＲ6またはＲ7は、Ｒ1またはＲ5とともに、置換または未置換の炭素環状環を形成していてもよく、
ｎは０または１であり、
Ｒ8からＲ15は独立してＨ、分枝鎖または直鎖状のＣ1〜Ｃ15−アルキル、Ｃ1〜Ｃ15−アルケニル、Ｃ1〜Ｃ15−アルキニル、またはＣ1〜Ｃ4−アルコキシであって、これらは一体となって一個または２個以上の脂肪族、または芳香族環を形成していてもよく、これらの環は任意により分枝鎖または直鎖状のＣ1〜Ｃ10−アルキル、Ｃ1〜Ｃ10−アルケニル、またはＣ1〜Ｃ10−アルキニル残基を含有していてもよく、また上記環および残基は一又は二以上の酸素原子を含有していてもよく、
かつ、式ＩＩＩ
2002020783.tif 000005
のラクトンは２０個より多くの炭素原子を有しない）。
【請求項３】  式Ｉで表わされる化合物：
2002020783.tif 000006
式中、
アセタールの環は飽和であり、
Ｒ1〜Ｒ5は独立して、Ｈ、−ＮＯ2、直鎖状または分枝鎖状Ｃ1〜Ｃ6−アルキル、Ｃ1〜Ｃ6−アルケニル、Ｃ1〜Ｃ6−アルキニルまたはＣ1〜Ｃ4−アルコキシを表わし、
Ｒ1とＲ2、Ｒ2とＲ3、Ｒ3とＲ4およびＲ4とＲ5とは一体になって、１個または２個の脂肪族または芳香族環を形成していてもよく、これらの環は任意により置換または未置換のＣ1〜Ｃ4−アルキル、Ｃ1〜Ｃ4−アルケニルまたはＣ1〜Ｃ4−アルキニル残基を有していてもよく、また１個または２個以上の酸素原子を含有していてもよく、
Ｒ6およびＲ7は独立して、Ｈ、直鎖状または分枝鎖状Ｃ1〜Ｃ6−アルキル、Ｃ1〜Ｃ6−アルケニルまたはＣ1〜Ｃ6−アルキニルであり、またＲ6またはＲ7は、Ｒ1またはＲ5とともに、置換または未置換の炭素環状環を形成していてもよく、
ｎは０であり、
Ｒ8からＲ15は独立してＨ、分枝鎖または直鎖状のＣ1〜Ｃ15−アルキル、Ｃ1〜Ｃ15−アルケニル、Ｃ1〜Ｃ15−アルキニル、またはＣ1〜Ｃ4−アルコキシであって、これらは一体となって一個の脂肪族、または芳香族環を形成していてもよく、この環は任意により分枝鎖または直鎖状のＣ1〜Ｃ10−アルキル、Ｃ1〜Ｃ10−アルケニル、またはＣ1〜Ｃ10−アルキニル残基を含有していてもよく、また上記環および残基は一又は二以上の酸素原子を含有していてもよく、
かつ、式ＩＩＩ
2002020783.tif 000007
のラクトンは２０個より多くの炭素原子を有しない。
【請求項４】  式Ｉで表わされる化合物：
2002020783.tif 000008
式中、
アセタールの環は飽和であり、
Ｒ1〜Ｒ5は独立して、Ｈ、−ＮＯ2、直鎖状または分枝鎖状Ｃ1〜Ｃ6−アルキル、Ｃ1〜Ｃ6−アルケニル、Ｃ1〜Ｃ6−アルキニルまたはＣ1〜Ｃ4−アルコキシを表わし、
Ｒ1とＲ2、Ｒ2とＲ3、Ｒ3とＲ4およびＲ4とＲ5とは一体になって、１個または２個の脂肪族または芳香族環を形成していてもよく、これらの環は任意により置換または未置換のＣ1〜Ｃ4−アルキル、Ｃ1〜Ｃ4−アルケニルまたはＣ1〜Ｃ4−アルキニル残基を含有していてもよく、また１個または２個以上の酸素原子を含有していてもよく、
Ｒ6およびＲ7は独立して、Ｈ、直鎖状または分枝鎖状Ｃ1〜Ｃ6−アルキル、Ｃ1〜Ｃ6−アルケニルまたはＣ1〜Ｃ6−アルキニルであり、またＲ6またはＲ7は、Ｒ1またはＲ5とともに、置換または未置換の炭素環状環を形成していてもよく、
ｎは１であり、
Ｒ8からＲ15は独立してＨ、分枝鎖または直鎖状のＣ1〜Ｃ15−アルキル、Ｃ1〜Ｃ15−アルキニル、またはＣ1〜Ｃ4−アルコキシであって、これらは一体となって一個または２個以上の脂肪族、または芳香族環を形成していてもよく、これらの環は任意により分枝鎖または直鎖状のＣ1〜Ｃ10−アルキル、Ｃ1〜Ｃ10−アルケニル、またはＣ1〜Ｃ10−アルキニル残基を含有していてもよく、また上記環および残基は一又は二以上の酸素原子を含有していてもよく、
かつ、
Ｒ8からＲ15のすべてがＨである化合物又は、
Ｒ10からＲ15のすべてがＨであり、Ｒ8がＣ6でありＲ9がＨであるかまたはＲ9がＣ6でありＲ8がＨである化合物を除くことを条件とし、
ただし、式ＩＩＩ
2002020783.tif 000009
のラクトンは２０個より多くの炭素原子を有しない。
【請求項５】  請求項１に記載の式Ｉのフレグランス先駆化合物を含有する、香り付けした製品。
【請求項６】  前記香り付けした製品が、洗濯組成物、掃除製品、ボディケア製品または個人用ケア製品である、請求項５に記載の香り付けした製品。